(57)【要約】【課題】  露光ヘッドの露光領域の全幅より狭い印画紙を用いてユニフォミティをとることが可能なプリント装置を得る。【解決手段】  印画紙マガジンＭＡを主走査方向での一方の端部側にシフト作動させて印画紙Ｐを露光ヘッドの露光位置Ｘに送り込んで第１チャート露光を行い、次に、この印画紙Ｐを印画紙マガジンＭＡに巻き戻し、この巻き戻し状態で印画紙マガジンＭＡを他方の端部側にシフト作動させて印画紙Ｐを送り出し、カッターユニット２２でテストチャートのサイズに切断して露光位置Ｘに送り込んで第２チャート露光を行うテストチャート作成手段を備えた。【選択図】        図６
2007033771.tif 000002
【特許請求の範囲】
【請求項１】
主走査方向に沿って複数の光量制御部をライン状に配置した露光ヘッドと、感光材料とを前記主走査方向と直交する副走査方向に相対移動させ、この相対移動時に前記露光ヘッドの各光量制御部を設定されたテストチャートデータに基づいて制御することによってテストチャートを作成するテストチャート作成手段を備えているプリント装置であって、
前記感光材料として長尺のものを用い、この長尺の感光材料の送り出し及び巻き戻しが可能なマガジンを備え、このマガジンを前記主走査方向に移動させるシフト機構を備えると共に、
前記テストチャート作成手段は、前記シフト機構の制御で前記マガジンを主走査方向の一方の端部側にセットして前記感光材料を送り出し、前記露光ヘッドで前記テストチャートデータの露光を行う第１チャート露光を実行し、前記感光材料を前記マガジンに巻き戻す巻き戻し作動を実行し、この巻き戻し後において前記シフト機構の制御で前記マガジンを主走査方向の他方の端部側にシフトして前記露光ヘッドで前記テストチャートデータの露光を行う第２チャート露光を実行するプリント装置。
【請求項２】
前記マガジンから送り出された前記感光材料を切断するカッターユニットを備えると共に、前記テストチャート作成手段は、前記第１チャート露光のために前記感光材料を送り出す際にはカッターユニットでの切断を行わず、前記第２チャート露光のために前記感光材料を送り出す際には前記第１チャート露光領域と第２チャート露光領域とを含むサイズとなるように前記感光材料の切断を行う請求項１記載のプリント装置。
【請求項３】
前記マガジンから送り出された前記感光材料を搬送する圧着型の搬送ローラを備え、この搬送ローラより前記露光ヘッドの側の位置に前記感光材料の裏面側に情報を印字する印字ヘッドを備えると共に、前記搬送ローラが前記印字ヘッドで印字が行われる主走査方向での位置に対応した位置を小径に成形している請求項１又は２項記載のプリント装置。
【請求項４】
該プリント装置を構成する筐体の内部に前記マガジンを主走査方向に沿って移動自在に支持するマガジン台を備え、前記筐体の壁部のうち前記マガジン台を基準にして主走査方向に位置する側を開放する扉を開閉自在に備え、この扉が閉じ位置にある状態で前記マガジン台に載置した前記マガジンに対してバネによる押圧力を主走査方向に向けて作用させる押圧ユニットを備えると共に、
前記シフト機構は、前記押圧ユニットの押圧力に抗して前記マガジン台を主走査方向に移動させる電動アクチュエータを備えている請求項１〜３のいずれか１項に記載のプリント装置。
【発明の詳細な説明】
【技術分野】
【０００１】
本発明は、主走査方向に沿って複数の光量制御部をライン状に配置した露光ヘッドと、感光材料とを前記主走査方向と直交する副走査方向に相対移動させ、この相対移動時に前記露光ヘッドの各光量制御部を設定されたテストチャートデータに基づいて制御することによってテストチャートを作成するテストチャート作成手段を備えているプリント装置に関し、詳しくは、テストチャートを用いて露光ヘッドの主走査方向での全幅のユニフォミティをとる技術に関する。
【背景技術】
【０００２】
上記のようにテストチャートを用いて露光ヘッドの主走査方向での全幅のユニフォミティをとる技術として特許文献１及び特許文献２に記載されるものが存在する。特許文献１のプリント装置では、マガジンからの感光材料を露光ヘッド（文献では露光部）に供給する搬送系に感光材料を切断するカット部（カッター）と、感光材料の振り分け作動を行う受け渡し部とを配置している。このプリント装置では、例えば、感光材料を２列の搬送ラインに振り分けた状態で露光ヘッドに送ることにより、２列の搬送ライン上の感光材料に同時に露光を行い効率的な露光処理を実現する。
【０００３】
このプリント装置で露光ヘッドの主走査方向での全幅のユニフォミティ（文献では露光特性検査）をとるためにテストチャートの露光（文献ではテスト画像のデータの露光）を行う場合には、受け渡し部において複数の感光材料を主走査方向に振り分ける形態で露光ヘッドに供給することで露光ヘッドの主走査方向の露光領域の全幅からの光線を複数の感光材料に振り分ける形態で照射できるように構成している。
【０００４】
特許文献２のプリント装置では、マガジンからの感光材料をカッターユニットで切断して搬送機構によって露光位置に供給し、この露光位置での露光の後に振分け機構によって一対の経路に振り分けた状態で現像処理部に送り込む搬送系を備えている。露光位置には主走査方向に沿う方向でのライン露光が可能な露光ヘッドを備え、露光位置に感光材料をセットした状態で、この露光ヘッドを副走査方向に移動させながら画像データの露光を行うようにプリント装置が構成されている。
【０００５】
このプリント装置でユニフォミティをとるためにテストチャートデータの露光を行う場合には、感光材料を搬送機構で振分け機構まで送り、主走査方向での一方の端部まで移動させた後に、搬送機構で逆方向に搬送して露光位置にセットした状態で１度目のチャートの露光を行い、この感光材料を搬送機構で再び振分け機構に送り、主走査方向での他方の端部まで移動させた後に、搬送機構で逆方向に搬送して露光位置にセットした状態で２度目のチャートの露光を行い、この後、現像処理を行う。このテストチャートの露光を行うことにより、単一の感光材料に対して露光ヘッドの主走査方向での全幅からの光線が照射された２つの露光領域が形成される。
【０００６】
【特許文献１】特開２０００−３５６８３１号公報  （段落番号〔００２５〕〜〔００３２〕、図３）
【特許文献２】特開２００２‐３５０９９１号公報  （段落番号〔００３９〕〜〔００４７〕、図３、図８、図１２）
【発明の開示】
【発明が解決しようとする課題】
【０００７】
ライン露光を行う露光ヘッドを備えたプリント装置では、プリント可能な感光材料の最大幅より、露光ヘッドでのプリント可能な幅を大きく設定している。従って、プリント可能な最大幅の感光材料を用いてテストチャートデータの露光を行っても、露光ヘッドの両端部に対応した領域からの光線に対応した露光を行えないものであった。
【０００８】
このような理由から、特許文献１、特許文献２に記載されるように、振り分けを行う機構（振分け機構）を用いて感光材料を主走査方向に変位させた状態でテストチャートデータの露光を行うことも考えられていた。しかしながら、小型のプリント装置では振分け機構を備えていないものもあり、この振分け機構を備えないプリント装置では、適正なユニフォミティを行うことが困難であり改善が望まれている。尚、振分け機構を備えていないプリント装置で複数枚の感光材料を人為的に振分けた位置にセットしてテストチャートデータの露光を行うことも想定されるが、手間の面において実現性が低いものとなる。
【０００９】
本発明の目的は、振分け機構を備えていない装置でも、露光ヘッドの主走査方向での露光領域の全幅のテストチャートデータの露光を行えるプリント装置を構成する点にある。
【課題を解決するための手段】
【００１０】
本発明の特徴は、主走査方向に沿って複数の光量制御部をライン状に配置した露光ヘッドと、感光材料とを前記主走査方向と直交する副走査方向に相対移動させ、この相対移動時に前記露光ヘッドの各光量制御部を設定されたテストチャートデータに基づいて制御することによってテストチャートを作成するテストチャート作成手段を備えているプリント装置であって、
前記感光材料として長尺のものを用い、この長尺の感光材料の送り出し及び巻き戻しが可能なマガジンを備え、このマガジンを前記主走査方向に移動させるシフト機構を備えると共に、
前記テストチャート作成手段は、前記シフト機構の制御で前記マガジンを主走査方向の一方の端部側にセットして前記感光材料を送り出し、前記露光ヘッドで前記テストチャートデータの露光を行う第１チャート露光を実行し、前記感光材料を前記マガジンに巻き戻す巻き戻し作動を実行し、この巻き戻し後において前記シフト機構の制御で前記マガジンを主走査方向の他方の端部側にシフトして前記露光ヘッドで前記テストチャートデータの露光を行う第２チャート露光を実行する点にある。
【００１１】
この構成により、テストプリントを行う際には、シフト機構によるマガジンのシフトと、感光材料の搬送形態と、チャート露光との組み合わせにより、第１チャート露光領域と第２チャート露光領域とにテストチャートデータの露光を行える。このように作成したテストチャートの第１、第２チャート露光領域には露光ヘッドの端部からの光線による露光が行われており、露光ヘッドの主走査方向での全露光領域に対応したユニフォミティを実現する。その結果、振分け機構を備えていなくとも、露光ヘッドの主走査方向での露光領域の全幅のテストチャートからユニフォミティをとることが可能な装置が構成された。
【００１２】
本発明は、前記マガジンから送り出された前記感光材料を切断するカッターユニットを備えると共に、前記テストチャート作成手段は、前記第１チャート露光のために前記感光材料を送り出す際にはカッターユニットでの切断を行わず、前記第２チャート露光のために前記感光材料を送り出す際には前記第１チャート露光領域と第２チャート露光領域とを含むサイズとなるように前記感光材料の切断を行っても良い。
【００１３】
この構成により、単一の感光材料に対して第１チャート露光領域と第２チャート露光領域とを形成することが可能となる。つまり、第１チャート露光領域と第２チャート露光領域とを別個の感光材料に形成した場合には、スキャナを用いて夫々の感光材料のテストチャートから各画素の濃度を取得する場合の処理や、取り扱いが容易になる。また、現像処理時の環境によってはテストチャートに微妙な濃度差を生ずることもあるが、単一の感光材料を用いることにより、テストチャートの濃度に差異を生ずることがなく、精度の高いユニフォミティを実現する。
【００１４】
本発明は、前記マガジンから送り出された前記感光材料を搬送する圧着型の搬送ローラを備え、この搬送ローラより前記露光ヘッドの側の位置に前記感光材料の裏面側に情報を印字する印字ヘッドを備えると共に、前記搬送ローラが前記印字ヘッドで印字が行われる主走査方向での位置に対応した位置を小径に成形しても良い。
【００１５】
この構成により、テストプリントを行う際に、印字ヘッドによって感光材料に必要な情報を印字し、第１チャート露光を行った後に、感光材料をマガジンに巻き戻した場合でも、この印字した部位が搬送ローラの小径の部位を通過するので、印字に用いたインク類で搬送ローラを汚すことがなく、従って、搬送ローラに付着したインクで感光材料を汚すこともない。
【００１６】
本発明は、該プリント装置を構成する筐体の内部に前記マガジンを主走査方向に沿って移動自在に支持するマガジン台を備え、前記筐体の壁部のうち前記マガジン台を基準にして主走査方向に位置する側を開放する扉を開閉自在に備え、この扉が閉じ位置にある状態で前記マガジン台に載置した前記マガジンに対してバネによる押圧力を主走査方向に向けて作用させる押圧ユニットを備えると共に、
前記シフト機構は、前記押圧ユニットの押圧力に抗して前記マガジン台を主走査方向に移動させる電動アクチュエータを備えても良い。
【００１７】
この構成により、マガジン台を電動アクチュエータによって移動させることが可能になる。この移動時には、押圧ユニットのバネからの押圧力がマガジンに作用しているので、例えば、電動アクチュエータからマガジン台に移動力を作用させる機械系にギヤのバックラッシュ等に起因するガタツキがあってもマガジン台の位置を保持できる。
【発明を実施するための最良の形態】
【００１８】
以下、本発明の実施形態を図面に基づいて説明する。
〔写真プリント装置〕
図１に示すように、オペレート部Ａとプリント処理部Ｂとを備えて写真プリント装置が構成されている。この写真プリント装置は、オペレート部Ａにおいてデジタル化した画像データを取得し、このオペレート部Ａでのオペレータの操作に基づいて画像データのプリントサイズやプリント枚数等のオーダ情報を取得し、必要な場合に画像データの補正を行った後、プリント処理部Ｂに伝送する処理を行う。プリント処理部Ｂではオペレート部Ａから画像データとオーダデータとが伝送された場合には、感光材料としての印画紙Ｐに画像データの露光を行い、現像処理、乾燥処理の後に排出する処理を行う。
【００１９】
〔オペレート部〕
前記オペレート部Ａは、テーブル１の上面に写真フィルムＦの画像情報をデジタル信号化して取り込むフィルムスキャナ２と、処理情報を表示するディスプレイ３と、キーボード４とを備え、側部にフラットベッドスキャナ５を配置している。前記テーブル１の下側に汎用コンピュータからなる処理装置６を備え、この処理装置６はＣＤ−ＲやＤＶＤ−Ｒ等に記録された画像データや、半導体メディアに記録された画像データを取得するメディアドライブ７を備えている。
【００２０】
前記フラットベッドスキャナ５は、本体５Ａに透明なガラス板や樹脂板で成るスキャニングテーブル５Ｂを形成すると共に、このスキャニングテーブル５Ｂを覆う開閉自在なプラテンカバー５Ｃと、本体５Ａの内部において平行移動自在なスキャナ部５Ｄとを備えている。
【００２１】
前記スキャナ部５Ｄは主走査方向に伸びた形状で、光源とＣＣＤ等の光電変換素子を備えており、このスキャナ部５Ｄの光源を発光させた状態で主走査方向と直交する副走査方向に作動させることにより、前記スキャニングテーブル５Ｂにセットされたスキャニング対象物の画像を光電変換素子によって取得する。このフラットベッドスキャナ５は前記プリント処理部Ｂでプリントされた個々の画素を識別し得る解像度を有している。
【００２２】
〔プリント処理部〕
前記プリント処理部Ｂは、図１〜図３に示すように、暗箱構造の筐体１０の内部に露光処理部ＥＸと現像処理部ＤＥと乾燥処理部ＤＲとを収めた構造を有している。露光処理部ＥＸでは感光材料としての印画紙Ｐをプリントサイズに切断して画像データの露光を行い、この露光の後に縦搬送装置ＣＶにおいて印画紙Ｐを反転して表裏を入れ換えた状態で上方に搬送して現像処理部ＤＥに送り込む。この現像処理部ＤＥでは印画紙Ｐを発色現像槽、漂白定着槽、安定槽夫々に順次搬送して送り出す。そして、乾燥処理部ＤＲでは現像処理を終えた印画紙Ｐを乾燥した後に横方向に搬送ベルト１１上に送り出し、更に、搬送ベルト１１からソータ（図示せず）の複数のトレイの何れかにオーダ単位で印画紙Ｐを仕分ける作動を行う。
【００２３】
前記筐体１０の内部には、露光処理部ＥＸでの露光処理と、現像処理部ＤＥでの現像処理と、乾燥処理部ＤＲでの乾燥処理と、印画紙Ｐの搬送を制御する搬送制御とを行う制御ユニット１３を備えている（制御のための構成と制御形態は後述する）。
【００２４】
前記露光処理部ＥＸは、印画紙マガジンＭＡからの印画紙Ｐ（感光材料の一例）を圧着型の供給搬送ローラ２１で送り出し、カッターユニット２２でプリントサイズに切断し、チャッカーＣの挟持によって水平方向に送り、露光搬送ユニットＤに受け渡す。この露光搬送ユニットＤでは印画紙Ｐを露光ヘッドＨの下方の露光位置において設定速度で副走査方向に搬送し、この搬送と同期して露光ヘッドＨからの主走査方向に照射される光線によってライン状に連続的な露光を行う。
【００２５】
前記供給搬送ローラ２１は、供給搬送モータＭ２１で駆動され、該供給搬送ローラ２１に対して印画紙Ｐを圧着する一対の従動ローラ２１Ａを備えている。前記カッターユニット２２は、搬送系に固定された固定刃２２Ａと、カッターモータＭ２２で駆動される可動刃２２Ｂとを備えている。
【００２６】
前記チャッカーＣは印画紙Ｐの表裏に対向する位置に配置される一対のガイド体２４と、印画紙Ｐを挟持する圧着ピン２５とを備え、このチャッカーＣの部位における印画紙Ｐの搬送経路の両側部には一対のプーリ２６に巻回したベルト２７を配置している。夫々のベルト２７に対して前記一対のガイド体２４の端部を連結し、一対のプーリ２６の１つを駆動するチャッカーモータＭ２４を備え、前記一対の圧着ピン２５を圧着作動させる圧着モータＭ２５を備えている。
【００２７】
前記供給搬送ローラ２１とカッターユニット２２との中間位置に印画紙Ｐの存否を判別するペーパーセンサＳＰを配置している。このペーパーセンサＳＰは、光源Ｓａと受光部Ｓｂとを備えており、印画紙Ｐの端部を検出するように機能する。また、前記供給搬送ローラとカッターユニット２２との中間位置には印画紙Ｐの裏面側に補正情報等の情報を印字する印字ヘッド２３を配置している。図面には示していないが、この印字ヘッド２３はインクリボンのインクの印字を行うドットマトリクス型に構成されている。
【００２８】
本発明の写真プリント装置では、前記印字ヘッド２３で裏面側に印字した印画紙Ｐを印画紙マガジンＭＡに巻き戻す作動も行われるため、前記供給搬送ローラ２１の主走査方向での中央位置には図４に示すように、印画紙Ｐに印字された情報のインクの付着を防止するため小径部２１Ｇに成形している。
【００２９】
前記チャッカーＣでは、圧着モータＭ２５を作動させることにより、前記一対のガイド体２４の間に送り込まれた印画紙Ｐを圧着ピン２５で圧着し、チャッカーモータＭ２４を作動させることにより印画紙Ｐを搬送する。
【００３０】
前記露光搬送ユニットＤは、圧着状態と開放状態とに切り換え自在な受取ローラ３０と、圧着状態と開放状態とに切り換え自在な一対の露光搬送ローラ３１とを備えている。前記露光搬送ユニットＣの受取ローラ３０は受取モータＭ３０で駆動され、この受取ローラ３０に対して圧着状態と開放状態とに切り換え自在な従動ローラ３０Ａを備えている。また、前記一対の露光搬送ローラ３１は無端ベルトを有した伝動機構３２を介して露光搬送モータＭ３１で駆動され、圧着状態と開放状態とに切り換え自在な従動ローラ３１Ａを備えている。図面には示していないが、前記受取ローラ３０の従動ローラ３０Ａを圧着状態と開放状態とに切り換えるアクチュエータを備え、また、前記露光搬送ローラ３１の従動ローラ３１Ａを圧着状態と開放状態とに切り換えるアクチュエータを備えている。
【００３１】
この露光搬送ユニットＤでは、前記チャッカーＣから印画紙Ｐを受け取る際には、受取ローラ３０の従動ローラ３０Ａを開放状態に設定し、この従動ローラ３０Ａを圧着状態に切り換えて印画紙Ｐを受入れた後に、一対の露光搬送ローラ３１の従動ローラ３１Ａうち、搬送上手側の従動ローラ３１Ａを開放状態に設定して印画紙Ｐを受入れた後に、従動ローラ３１Ａを圧着状態に切り換えることにより印画紙Ｐの露光搬送を開始する。次に、搬送下手側の従動ローラ３１Ａを開放状態に設定して印画紙Ｐを受入れた後に、従動ローラ３１Ａを圧着状態に切り換えて印画紙の露光搬送を継続する。
【００３２】
図面には具体的な構造を示していないが、前記縦搬送装置ＣＶは露光後の印画紙Ｐを圧着型のローラで受け取り、圧着型のローラの姿勢の変換によって表裏を入れ換えて上方に搬送して送り出すように機能する。
【００３３】
この構成から、印画紙Ｐに画像データの露光を行う場合には、マガジンモータＭ５５の駆動により印画紙マガジンＭＡから印画紙Ｐを送り出し、この印画紙Ｐを供給搬送ローラ２１で受け取り、供給搬送モータＭ２１の駆動によって更に送り出し、チャッカーＣに受渡す。印画紙Ｐの先端が受け渡されるとチャッカーＣでは圧着モータＭ２５を駆動して圧着ピン２５で印画紙Ｐを圧着し、供給搬送モータＭ２１の駆動と同期してチャッカーモータＭ２４を駆動することで供給搬送ローラ２１での搬送速度と等しい速度でチャッカーＣを移動させ、カッターユニット２２での切断位置を通過した印画紙Ｐの長さがプリントサイズに達すると、印画紙Ｐの搬送を一時停止しカッターモータＭ２２を駆動することでカッターユニット２２で印画紙Ｐを切断する。
【００３４】
チャッカーＣによる印画紙Ｐの先端の圧着のタイミングや、印画紙Ｐを切断するタイミングは前記ペーパーセンサＳＰが印画紙Ｐの先端を検出したタイミングを基準にして制御ユニット１３が判断して行う。この後、チャッカーＣからの印画紙Ｐが露光搬送ユニットＤに送り込まれると、従動ローラ３０Ａを開放状態に設定した状態で受取ローラ３０が印画紙Ｐを受け入れ、次に、従動ローラ３０Ａと受取ローラ３０とで圧着して受取モータＭ３０の駆動により印画紙Ｐの搬送を開始する。この後、前述したように一対の露光搬送ローラ３１で印画紙Ｐを順次圧着して露光搬送モータＭ３１の駆動により印画紙Ｐを露光ヘッドＨによる露光位置に送り込み露光処理を実現する。
【００３５】
〔露光ヘッド〕
具体的な構造を図面には示していないが、前記露光ヘッドＨは、Ｒ（赤）・Ｇ（緑）・Ｂ（青）の３原色について主走査方向に沿ったライン状の領域に送り出すように３原色に対応した３つのユニットを備えている。夫々のユニットは複数の光量制御部を主走査方向に沿ってライン状に配置することにより、下方に向けて送り出した光線をライン状の領域に照射し、その光量を光量制御部によって画素単位で制御する。
【００３６】
この露光ヘッドＨとして、特許文献１に記載されるもののように、発光ダイオード等の光源からの光線の光量を液晶シャッター（光量制御部の一例）で制御することによって印画紙Ｐに対する露光を画素単位で制御するものや、特開２００１−１４２１６２号公報に示されるもののように、真空ケース内に配置した電極に印加する電圧の制御で光量が制御される蛍光体をライン状に配置し、電極の制御によって印画紙Ｐに対する光量を画素単位で制御するものを用いることが可能である。後者の構造の露光ヘッドＨでは電極と蛍光体と電極を独立して制御する系とで光量制御部が構成される。
【００３７】
つまり、光量制御部は、光量を制御し得る発光素子する最小単位であっても、光源からの光線の光量を制御する最小単位であっても良い。また、この光量制御部は露光ヘッドＨにおいて主走査方向に沿って送り出される光線の光量を制御する最小単位であり、この光量制御部で制御される最小単位の光線で印画紙上に形成される点が画素となり、この画素を副走査方向に連続して形成したラインが画素ラインとなる。
【００３８】
〔印画紙マガジンのシフト構造〕
前記筐体１０を構成する壁部のうち、前記露光処理部ＥＸの側面には開閉自在な扉１０Ａを備えており、図３、図４に示すように、この露光処理部ＥＸの内部には前記印画紙マガジンＭＡを載置するマガジン台１５を備えている。このマガジン台１５は、印画紙Ｐの搬送方向と直交する水平方向（主走査方向）に移動自在となるようにレール１５Ａに支持され、扉１０Ａを開放した状態でマガジン台１５を引き出し、このマガジン台１５に対する印画紙マガジンＭＡの載置を容易にしている。
【００３９】
尚、前記扉１０Ａは筐体１０のフレーム１０Ｆに対して開閉自在に支持され、前記レール１５Ａの固定側部材はフレーム１０Ｆに支持されている。
【００４０】
前記印画紙マガジンＭＡは、開閉自在なマガジン本体５０の内部に巻芯５１を支持し、この巻芯５１にロール状の印画紙Ｐを巻き取る形態で収容しており、このマガジン本体５０の内部には印画紙Ｐの送り出す部位に圧着型のマガジンローラ５２を配置している。このマガジンローラ５２と巻芯５１とは連動ギヤ（図示せず）によって連動して回転し、マガジンローラ５２を構成する一方のローラの駆動軸５２Ａをマガジン本体５０の外部に突出させ、この駆動軸５２Ａの一方の端部に平歯車型の受動ギヤ５３を備え、他方の端部に人為操作するためのノブ５４を備えている。
【００４１】
この印画紙マガジンＭＡの印画紙Ｐの送り出しと巻き取りとを行うために、前記受動ギヤ５３に咬合する平歯車型の駆動ギヤ５５を前記露光処理部ＥＸの内部に配置し、この駆動ギヤ５５を駆動するステッピングモータ型のマガジンモータＭ５５を備えている。また、後述するように前記マガジン台１５と一体的に印画紙マガジンＭＡをシフト作動させた際にも、受動ギヤ５３と駆動ギヤ５５とが咬合状態を維持するように、駆動ギヤ５５の軸芯方向での寸法を比較的大きく設定している。尚、印画紙マガジンＭＡをシフト作動させた際に受動ギヤ５３と駆動ギヤ５５とが咬合状態を維持するために、受動ギヤ５３の軸芯方向での寸法を大きく設定して良く、受動ギヤ５３と駆動ギヤ５５との夫々の軸芯方向での寸法を大きく設定しても良い。
【００４２】
前記扉１０Ａの内面側には印画紙マガジンＭＡに接触することにより扉側から押圧力を作用させる押圧ユニット１６を備えると共に、この押圧ユニット１６と印画紙マガジンＭＡを挟み込む位置に設定してシフト機構Ｋを備えている。前記押圧ユニット１６は、扉１０Ａの内面に支持されたホルダ１６Ａに対してバネ１６Ｂの付勢力によって突出方向に付勢された押圧片１６Ｃを備えている。
【００４３】
前記シフト機構Ｋは、図４、図５に示すように、前記印画紙マガジンＭＡに接触するロッド状の接当部材１７と、この接当部材１７を印画紙マガジンＭＡの移動方向（主走査方向）に沿ってネジ式にシフト作動させるシフトリング１８と、このシフトリング１８を減速ギヤ１８Ｇを介して回転作動させるステッピングモータ型のシフトモータＭ１８（電動アクチュエータの一例）と、これらを支持するようにフレーム１０Ｆに支持されたブラケット１９とを備えている。
【００４４】
前記接当部材１７の接当側の端部には印画紙マガジンＭＡの凹部に係入する位置決め部１７Ａと、印画紙マガジンＭＡにシフト力を作用させるフランジ部１７Ｂとを一体形成してあり、この端部と反対側には、その端面１７Ｃの位置から印画紙マガジンＭＡのシフト方向を光学式に判別するセンターセンサＳＣを配置している。
【００４５】
前記センターセンサＳＣは光源Ｓａと受光部Ｓｂとを備えており、前記端面１７ＣがセンターセンサＳＣでの検出位置に達した状態で、印画紙Ｐの搬送経路の主走査方向のセンター位置に印画紙マガジンＭＡから送り出される印画紙Ｐの主走査方向でのセンター位置が一致するように相対的な位置関係が設定されている。
【００４６】
前記センターセンサＳＣで印画紙マガジンＭＡのセンターを検出した位置（図５（ｂ）に示す位置）をホームポジションとしており、このホームポジションを基準位置にして前記シフトモータＭ１８を一方の方向に設定量だけ駆動することにより、前記接当部材１７を扉１０Ａから離間する方向に作動させ、また、前記シフトモータＭ１８を逆方向に駆動することにより接当部材１７を扉１０Ａに接近する方向とに作動する。特に、接当部材１７の作動量は前記シフトモータＭ１８を駆動する駆動パルスのパルス数によって決まる。
【００４７】
前記センターセンサＳＣは、ホームポジションだけを検出するように機能するものであったが、これに代えて、複数の位置を検出する構造のものを用いて良く、例えば、赤外線式の距離センサを用いて印画紙マガジンＭＡのシフト量を直接的に計測する構成を採用する、あるいは、接当部材１７の作動量や、マガジン台１５の作動量をポテンショメータで無段階で計測する構成を採用しても良い。
【００４８】
このような構成から、前記シフトモータＭ１８を駆動することにより、前記位置決め部１７Ａが印画紙マガジンＭＡのマガジン本体５０の凹部に係入した位置決め状態で、かつ、前記フランジ部１７Ｂがマガジン本体５０に壁面に接当した押圧状態で前記接当部材１７が水平方向に移動して印画紙マガジンＭＡをシフトさせる。
【００４９】
具体的な作動形態としては、前記印画紙マガジンＭＡには押圧ユニット１６から押圧力が継続的に作用しているため、シフト機構Ｋの接当部材１７を前記扉１０Ａから離間する方向に作動させた場合には、押圧ユニット１６の押圧片１６Ｃからの押圧力によって印画紙マガジンＭＡが扉１０Ａから離間する方向にシフトし（図５（ａ）を参照）、シフト機構Ｋの接当部材１７を前記扉１０Ａに接近する方向に作動させた場合には、押圧ユニット１６の押圧片１６Ｃからの押圧力に抗して印画紙マガジンＭＡが扉１０Ａに接近する方向にシフトする。
【００５０】
図６には印画紙マガジンＭＡから露光位置Ｘまでの印画紙Ｐの搬送経路を平面視を模式的に表したものであり、図６（ａ）では、印画紙マガジンＭＡから送り出される印画紙Ｐの幅方向（主走査方向）での中央位置となるペーパセンターＰＣを、供給搬送ローラ２１から印画紙Ｐを送り出す搬送経路の主走査方向での中央位置となる経路センターＹと一致させた状態を示している。
【００５１】
この写真プリント装置では、図６、図７に示すように、前記露光ヘッドＨの主走査方向での露光可能な幅ＷＨが、プリント可能な最大幅の印画紙Ｐの主走査方向での幅ＷＰより少し大きい値に設定してある。従って、本発明の写真プリント装置では、露光ヘッドＨのユニフォミティをとる場合には前記シフト機構Ｋを用いて印画紙Ｐを主走査方向にシフトさせることにより、図７に示すように、１枚の印画紙Ｐに第１チャート露光領域Ｅ１と第２チャート露光領域Ｅ２とを形成したテストチャートＴＣを得るように制御形態が設定されている。このテストチャートＴＣを得るテストチャート作成処理を実現するように前記制御ユニット１３が構成されている。
【００５２】
図面には詳しく示していないが、前記露光ヘッドＨのＲ（赤）・Ｇ（緑）・Ｂ（青）の３原色の光線を制御するユニット単位でのユニフォミティをとるために、前記第１チャート露光領域Ｅ１と第２チャート露光領域Ｅ２とに形成されるチャートは、Ｒ（赤）・Ｇ（緑）・Ｂ（青）の３原色に対応したシアン（Ｃ）・マゼンタ（Ｍ）・イエロー（Ｙ）に発色した領域や、グレーの発色領域を形成している。
【００５３】
〔制御系〕
前記制御ユニット１３は、前記露光処理部ＥＸで印画紙Ｐの搬送と露光処理とを行い、前記縦搬送装置ＣＶを制御し、前記現像処理部ＤＥでの現像処理を行い、前記乾燥処理部ＤＲで乾燥処理を行うものであるが、図８に示した制御系は露光処理部ＥＸでの印画紙Ｐの搬送と露光とを実現する制御要素のみを示している。
【００５４】
つまり、前記制御ユニット１３は、マイクロプロセッサＣＰＵと入出力インタフェース４１（Ｉ／Ｏ）を備えている。この入出力インタフェース４１に対して前記オペレート部Ａからの信号を受ける通信端末４２からの信号系を形成してあり、また、この入出力インタフェース４１（Ｉ／Ｏ）に対して前記ペーパーセンサＳＰ、センターセンサＳＣからの検出信号が入力する信号系を形成し、前記マガジンモータＭ５５、シフトモータＭ１８、供給搬送モータＭ２１、カッターモータＭ２２、チャッカーモータＭ２４、圧着モータＭ２５、受取モータＭ３０、露光搬送モータＭ３１夫々に対する出力系を形成し、更に、前記印字ヘッド２３と露光ヘッドＨとを制御する出力系を形成している。
【００５５】
前記マイクロプロセッサＣＰＵに対してオペレーティングシステム４３、半導体メモリ４４、テストチャートデータ４５、補正テーブルデータ４６、オーダ実行手段４７、テストチャート作成手段４８、補正テーブル更新手段４９夫々に対しデータバスを介して信号がアクセスする系を形成している。
【００５６】
前記オペレーティングシステム４３は前記入出力インタフェース４１でのデータのアクセスをコントロールし、前記半導体メモリ４４を構成するＲＡＭの記憶領域に対して制御に必要な領域を処理に割り当てる処理を行い、前記オーダ実行手段４７、テストチャート作成手段４８、あるいは、補正テーブル更新手段４９を実行する。
【００５７】
前記テストチャートデータ４５はＥＥＰＲＯＭ等に保存され、露光ヘッドＨの各光量制御部（画素単位に相当する）に対応して基準とする濃度値を定義したビットマップ構造のチャートパターンである。前記補正テーブルデータ４６は、印画紙ＰにプリントされたテストチャートＴＣに基づきユニフォミティをとることによって露光ヘッドＨの各露光単位に対して設定された補正値であり、画像データの濃度に対応した適正な光量となる光線を印画紙Ｐに照射するように各画素単位での補正を実現する。
【００５８】
前記補正テーブルデータ４６は、各光量制御部のアドレスに対応して保存された係数であり、印画紙Ｐに対して画像データの露光を行う際には、光量制御部に伝送される濃度値に対して、その光量制御部に対応して設定された係数を乗ずる処理形態での補正を実現している。尚、補正テーブルデータ４６に基づく補正として、ビットマップ構造の画像データを露光ヘッドＨに伝送する以前に、画像データを構成する画素と、その画素が伝送される光量制御部との関係を特定し、画像データの段階で係数を乗ずる処理を行うものであっても良い。
【００５９】
前記オーダ実行手段４７とテストチャート作成手段４８と補正テーブル更新手段４９とはプログラムの形でセットされたものであり、オーダ実行手段４７は、前記オペレート部Ａから画像データとオーダデータとが伝送された場合には、搬送系と露光ヘッドＨとを制御することにより、オーダデータに設定されたプリントサイズの印画紙Ｐに対してオーダデータに設定されたプリント枚数だけ画像データをプリントする処理を実現する。
【００６０】
前記テストチャート作成手段４８は、前記テストチャートデータ４５を補正テーブルデータ４６に基づいて補正して露光ヘッドＨに伝送し、搬送系を制御することにより、図７に示すテストチャートＴＣを作成する。このテストチャートＴＣは、第１チャート露光領域Ｅ１と第２チャート露光領域Ｅ２を形成したものであり第１チャート露光領域Ｅ１と第２チャート露光領域Ｅ２とには、露光ヘッドＨの主走査方向での中央位置を示すセンターマークＥＣを形成している。このセンターマークＥＣは露光ヘッドＨの主走査方向での中央位置を示す指標であるが、このセンターマークＥＣに代えて複数のマークを形成しても良い。
【００６１】
図面には詳しく示していないが、前記テストチャート作成手段４８で前記テストチャートＴＣを作成する際には、印画紙Ｐを設定速度で搬送しながら前記露光ヘッドＨの各光量制御部を前記テストチャートデータ４５で制御してＲ（赤）、Ｇ（緑）、Ｂ（青）の３原色の光線を印画紙Ｐに照射することにより、この３原色に対応したＣ（シアン）、Ｍ（マゼンタ）、Ｙ（イエロー）の少なくとも３種の画素ラインを光量制御部に対応した数だけ形成する。尚、第１チャート露光領域Ｅ１と第２チャート露光領域Ｅ２とに形成された画素ライン群を単にチャートと称する。
【００６２】
また、テストチャートＴＣに形成される画素ラインの隣接するもの同士の長さを異ならせることにより、端部を櫛歯状にして各画素ラインを識別可能にしており、前記センターマークＥＣから、各画素ラインと各光量制御部との関係を特定できるようにしている。
【００６３】
前記補正テーブル更新手段４９は、作成されたテストチャートＴＣを前記フラットベッドスキャナ５にセットしてスキャニングを行うことにより、テストチャート中の画素と露光ヘッドＨとの関係を特定し、テストチャート中の画素の濃度から補正値を求めて補正テーブルデータ４６を更新する。
【００６４】
尚、前記オーダ実行手段４７とテストチャート作成手段４８と補正テーブル更新手段４９の一部をロジック等のハードウエアで構成することや、全てをハードウエアで構成しても良い。
【００６５】
〔テストチャートの作成〕
前記テストチャート作成手段４８は、印画紙Ｐを搬送する搬送処理と、第１チャート露光処理と、第２チャート露光処理とを行うことにより、前述したように単一の印画紙Ｐに対してテストチャートを形成する処理を行う。その処理を図９のフローチャートのように示すことが可能である。
【００６６】
つまり、前記シフト機構Ｋを制御することにより印画紙マガジンＭＡを一方の端部までシフトする。このシフトを行う際には、印画紙マガジンＭＡから印画紙Ｐが既に引き出されている状況では、シフトを行う以前にマガジンモータＭ５５を制御して印画紙マガジンＭＡに印画紙Ｐの巻き戻す制御を実行する（＃０１ステップ）。
【００６７】
このように印画紙マガジンＭＡを一方の端部までシフトする際には、このシフトを行う以前に印画紙マガジンＭＡに対して印画紙Ｐを巻き戻した状態に設定するが、このように印画紙Ｐを巻き戻した状態を図６（ａ）のように示している。
【００６８】
次に、印画紙Ｐの先端を露光ヘッドＨの露光位置まで搬送し、この搬送時に印字ヘッド３２で印画紙Ｐの裏面に対して必要な情報の印字を行う（＃０２ステップ）。このように一方の端部にシフトした印画紙マガジンＭＡから引き出した印画紙Ｐを露光位置Ｘに送り込む際の各部の位置関係を図６（ｂ）のように示している。同図においては、シフト量をＤ１として示している。
【００６９】
フローチャートには記載していないが、この搬送を行う際には前記マガジンモータＭ５５を制御して印画紙マガジンＭＡから印画紙Ｐを送り出し、供給搬送モータＭ２１を制御することで印画紙Ｐを供給搬送ローラ２１から前記チャッカーＣに送る。この供給搬送ローラ２１から印画紙Ｐを送る際には、前記ペーパーセンサＳＰが検出したタイミングに基づいて印画紙Ｐの先端位置を判別し、チャッカーＣで圧着ピン２５で圧着するタイミングを設定する。次に、チャッカーモータＭ２４を制御することで前記供給搬送ローラ２１での搬送速度と同期した速度で印画紙Ｐの先端を搬送し、前記受取ローラ３０に受け渡す作動を行い、この搬送時にはカッターユニット２２での印画紙Ｐの切断は行わない。
【００７０】
そして、この受け渡し時には受取ローラ３０の従動ローラ３０Ａを予め開放位置に設定しておき、受け渡し時に従動ローラ３０Ａを圧着位置に切り換えるとともに、チャッカーＣでの圧着ピン２５での圧着を解除し、次に、受取モータＭ３０を制御することで受取ローラ３０で圧着された印画紙Ｐを更に露光搬送ローラ３１に送る。このように印画紙Ｐが送られたタイミングで搬送方向で上流側の露光搬送ローラ３１の前記従動ローラ３１Ａは開放位置に設定され、この印画紙Ｐの先端が圧着可能な位置に達したタイミングで圧着位置に切り換えるとともに露光搬送モータＭ３１からの駆動力で印画紙Ｐの搬送を開始する。更に、この印画紙Ｐの先端を搬送方向で下流側の露光搬送ローラ３１に送ることで搬送を継続する。また、印画紙Ｐが送られたタイミングで搬送方向で下流側の露光搬送ローラ３１の従動ローラ３１Ａは開放位置に設定され、この印画紙Ｐの先端が圧着可能な位置に達したタイミングで圧着位置に設定して搬送を継続するのである。
【００７１】
このように露光位置Ｘに印画紙Ｐの先端が送り込まれた後には、露光搬送ローラ３１で圧着した印画紙Ｐを設定速度で搬送しながら、補正テーブルデータ４６で補正されたテストチャートデータ４５を露光ヘッドＨに伝送し、テストチャートデータ４５を印画紙Ｐの第１チャート露光領域Ｅ１に露光する第１チャート露光を行う（＃０３ステップ）。
【００７２】
この第１チャート露光が終了した後には、前記露光搬送ローラ３１、受取ローラ３０を開放状態に設定し、前記チャッカーＣの圧着ピン２５の圧着を解除した状態で、前記供給搬送ローラ２１と、印画紙マガジンＭＡのマガジンローラ５２と、巻芯５１と同期して等しい搬送速度で印画紙Ｐを巻き戻し方向に搬送する制御により印画紙Ｐを印画紙マガジンＭＡに巻き戻す（＃０４ステップ）。このように印画紙Ｐを巻き戻す際の各部の位置関係を図６（ｃ）のように示している。同図においては、前記チャッカーＣの圧着ピン２５の圧着を解除した状態で、印画紙Ｐの搬送速度と同期した速度で供給搬送ローラ２１の方向に作動させることにより、印画紙Ｐの先端の垂れ下がりを抑制する状態を示している。
【００７３】
また、この印画紙Ｐの巻き戻しを行う際に前記露光搬送ローラ３１、受取ローラ３０を圧着状態に設定し、巻き戻し方向への印画紙Ｐの搬送速度と等しい速度で露光搬送ローラ３１と受取ローラ３０とを駆動することも考えられる。
【００７４】
このように印画紙Ｐの巻き戻しを行う際には、前記印字ヘッド２３で印画紙Ｐの裏面側に印字された情報が供給搬送ローラ２１の部位を通過するが、前述したように印字位置に対応する部位に小径部２１Ｇを形成しているので、印画紙Ｐの裏面に印字されたインクで供給搬送ローラ２１を汚すことがない。
【００７５】
この印画紙Ｐの巻き戻しが完了した後には、前記シフト機構Ｋを制御することにより前記印画紙マガジンＭＡを＃０１ステップでのシフトと逆方向の端部までシフトする（＃０５ステップ）。このように印画紙Ｐを巻き戻した後に、印画紙マガジンＭＡを逆方向にシフトした状態を図６（ｄ）のように示している。尚、＃０１でのシフト量Ｄ１と、この＃０５ステップでのシフト量Ｄ２とを等しく設定しているが、夫々のシフト量Ｄ１、Ｄ２に差を設定しても良い。
【００７６】
次に、印画紙マガジンＭＡから印画紙Ｐを送り出し、設定されたサイズに切断して露光位置Ｘに搬送する（＃０６ステップ）。このようにテストチャートＴＣのサイズに切断した印画紙Ｐを露光位置Ｘに送り込む際の各部の位置関係を図６（ｅ）のように示している。
【００７７】
このように切断された印画紙Ｐを搬送する場合には、前述した搬送と同様に、前記マガジンモータＭ５５を制御して印画紙マガジンＭＡから印画紙Ｐを送り出し、供給搬送モータＭ２１を制御することで印画紙Ｐを供給搬送ローラ２１から前記チャッカーＣに送る。この供給搬送ローラ２１から印画紙Ｐを送る際には、前記ペーパーセンサＳＰが検出したタイミングに基づいて印画紙Ｐの先端位置を判別し、供給搬送モータＭ２１を制御することで印画紙Ｐを供給搬送ローラ２１から前記チャッカーＣに送り、この搬送時にカッターユニット２２で印画紙Ｐを切断する。この切断による印画紙ＰのサイズがテストチャートＴＣのサイズとなる。
【００７８】
また、チャッカーＣでは印画紙Ｐを圧着ピン２５で圧着した後に、チャッカーモータＭ２４を制御することで印画紙Ｐを前記受取ローラ３０に受け渡す作動を行う。このようにチャッカーＣからの印画紙Ｐを受取ローラ３０が受け取った後には、前述した制御と同様に、受取ローラ３０からの印画紙Ｐを露光搬送ローラ３１に送り、露光ヘッドＨの露光位置Ｘに送り込むのである。
【００７９】
このように露光位置に印画紙Ｐの先端が送り込まれた後には、露光搬送ローラ３１で圧着した印画紙Ｐを設定速度で搬送しながら、補正テーブルデータ４６で補正されたテストチャートデータ４５を露光ヘッドＨに伝送し、テストチャートデータ４５を印画紙Ｐの第２チャート露光領域Ｅ２に露光する第２チャート露光を行う（＃０７ステップ）。
【００８０】
この第２チャート露光を終了した後には、印画紙マガジンＭＡから引き出されている印画紙Ｐを印画紙マガジンＭＡに巻き戻し、シフト機構Ｋの制御によって印画紙マガジンＭＡの印画紙ＰのペーパセンターＰＣを経路センターＹに一致させる制御を行う。また、露光後の印画紙Ｐを縦搬送装置ＣＶから現像処理部ＤＥに送り込んで現像処理を行い、この後、乾燥処理部ＤＲで乾燥処理を行うことによりテストチャートＴＣを得るのである（＃０８、＃０９ステップ）。
【００８１】
このように作成されたテストチャートＴＣは、前述したように１枚の印画紙Ｐに第１チャート露光領域Ｅ１と第２チャート露光領域Ｅ２とを形成した構造を有している。そして、このテストチャートＴＣを前記フラットベッドスキャナ５にセットしてスキャニングを行うことにより、前記処理装置６がスキャニングデータを制御ユニット１３に伝送し、この制御ユニット１３の前記補正テーブル更新手段４９が、第１チャート露光領域Ｅ１に形成されたチャートと、第２チャート露光領域Ｅ２に形成されたチャートとを取得すると共に、前記センターマークＥＣに基づいて夫々のチャートを合成する。
【００８２】
この後、このチャートを構成する画素ラインに対応する前記露光ヘッドＨの画素単位を特定し、この画素単位のアドレスに対応して補正データを生成し、この補正データを補正テーブルデータ４６に書込む形態で更新を行うのである。
【００８３】
このように、本発明では、前記露光ヘッドＨの主走査方向での露光可能な幅ＷＨより前記印画紙Ｐの主走査方向での幅ＷＰが小さいものであっても、印画紙マガジンＭＡとともに印画紙Ｐを主走査方向での両端部側に２度シフトさせてテストチャートデータ４５の露光を２度行うことにより、露光ヘッドＨの主走査方向での両端部からの光線を含む露光によるテストチャートＴＣを作成でき、このテストチャートＴＣに基づいて露光ヘッドＨの全幅のユニフォミティを容易にとることが可能となる。
【００８４】
また、本発明の実施形態では、単一（１枚）の印画紙Ｐに対して第１チャート露光領域Ｅ１と第２チャート露光領域Ｅ２とを形成するので、例えば、２枚の印画紙Ｐを用いたものと比較して現像処理の不揃いを排除して精度の高いユニフォミティを実現し、しかも、フラットベッドスキャナ５等でスキャニングを行う際にも、２枚の印画紙Ｐを用いるものと比較して手間を省けるものにしている。
【００８５】
〔別実施形態〕
本発明は、上記した実施の形態以外に以下のように構成しても良い。
【００８６】
（ａ）印画紙マガジンＭＡを一方にシフトした状態で１枚の印画紙Ｐ（感光材料）を送り出し、カッターユニット２２でテストチャートＴＣのサイズに切断し、露光位置Ｘにおいてテストチャートデータの露光を行い（第１チャート露光）、この後、送り出した印画紙Ｐ（感光材料）を印画紙マガジンＭＡに一旦巻き戻して印画紙マガジンＭＡを他方にシフトし、このように他方にシフトした状態で更に１枚の印画紙Ｐを送り出し、テストチャートＴＣのサイズの切断し、露光位置Ｘにおいてテストチャートデータの露光を行う（第２チャート露光）ように処理形態を設定する。
【００８７】
このように処理形態を設定することにより２枚の印画紙ＰをテストチャートＴＣとして使用するものとなるが、露光ヘッドＨの主走査方向での全幅のユニフォミティをとることが可能となる。
【００８８】
（ｂ）印画紙Ｐの主走査方向での幅に基づいてシフト機構Ｋによる印画紙マガジンＭＡのシフト量を変更する。このように印画紙マガジンＭＡのシフト量を変更可能にする場合、ペーパセンターＰＣを基準にして一方側のシフト量と、他方側のシフト量とを必ずしも等しくする必要はなく、搬送系の構造や印画紙マガジンＭＡのスペースに応じて可能なシフト量に設定することが可能である。
【００８９】
（ｃ）印画紙Ｐを露光テーブル等に支持した状態で、露光ヘッドが副走査方向に移動する形態で露光を行うように露光形態が設定されたものに適用しても良い。
【００９０】
（ｄ）第１チャート露光のために印画紙Ｐを送り出す際に印字ヘッド２３で印字を行う制御に代えて、第２チャート露光のために印画紙マガジンＭＡから印画紙Ｐを送り出す際に印画紙Ｐの裏面側に対して印字ヘッド２３で印字を行うように制御形態を設定する。このタイミングで印字ヘッド２３での印字を行うように制御形態を設定することにより、供給搬送ローラ２１に小径部２１Ｇを形成しなくて済む。
【産業上の利用可能性】
【００９１】
写真プリント装置の電源を投入した直後のように、プリント処理を開始する以前において必ずテストチャートＴＣを自動的に作成するように写真プリント装置の処理形態を設定する。このように自動的な制御によってテストチャートＴＣを作成するように処理形態を設定することにより、プリントの品質を高く維持できる。
【図面の簡単な説明】
【００９２】
【図１】写真プリント装置の構成を模式的に示す図
【図２】印画紙マガジンから送り出される印画紙の搬送経路を示す斜視図
【図３】印画紙マガジンから送り出される印画紙の搬送経路を示す正面図
【図４】印画紙マガジンと供給搬送ローラとを示す側面図
【図５】シフト機構による印画紙マガジンのシフト作動を示す平面図
【図６】第１チャート露光と第２チャート露光とにおける印画紙の搬送形態を連続的に示す平面図
【図７】テストチャートを示す図
【図８】制御系のブロック回路図
【図９】テストチャート作成処理のフローチャート
【符号の説明】
【００９３】
１０          筐体
１０Ａ        扉
１５          マガジン台
１６          押圧ユニット
１６Ｂ        バネ
２１          搬送ローラ：供給搬送ローラ
２２          カッターユニット
２３          印字ヘッド
４８          テストチャート作成手段
Ｈ            露光ヘッド
Ｋ            シフト機構
Ｐ            感光材料：印画紙
Ｅ１          第１チャート露光領域
Ｅ２          第２チャート露光領域
ＴＣ          テストチャート
ＭＡ          マガジン：印画紙マガジン
Ｍ１８        電動アクチュエータ：シフトモータ
【図１】
2007033771.tif 000003
【図２】
2007033771.tif 000004
【図３】
2007033771.tif 000005
【図４】
2007033771.tif 000006
【図５】
2007033771.tif 000007
【図６】
2007033771.tif 000008
【図７】
2007033771.tif 000009
【図８】
2007033771.tif 000010
【図９】
2007033771.tif 000011